(57)【要約】【課題】本発明は、複数のレンズ群からなる撮影レンズを経由して入射してきた被写体光を捉えて撮影を行なうカメラに関し、組立時の作業性および使用時の信頼性を向上させる。【解決手段】前群レンズ２１０を保持する前群レンズ枠３１０と、後群レンズ２２０を保持するとともに光量制御部材４１０を支持する後群レンズ枠３２０と、後群レンズ枠３２０が接着される前移動筒１５０とを有し、光量制御部材４１０が、操出状態から沈胴状態に移行するに際して、前移動筒１５０の押圧部１５１で押される突起部４１３を備えた。【選択図】        図４
2006243386.tif 000002
【特許請求の範囲】
【請求項１】
複数のレンズ群からなる撮影レンズを経由して入射してきた被写体光を捉えて撮影を行なうカメラにおいて、
前記複数のレンズ群のうちの所定の第１のレンズ群を保持する第１のレンズ枠と、
前記複数のレンズ群のうちの、所定の第１のレンズ群の光軸方向後方に隣接する第２のレンズ群を保持するとともに、該第２のレンズ群前面に配備された、通過する被写体光の光量を制御する光量制御部材を、光軸方向に移動自在であって、かつ光軸方向前方にバネ付勢した状態に支持する第２のレンズ枠と、
前記第１のレンズ枠が固定された第１の筒と、該第１の筒との間および前記第２のレンズ枠との間にそれぞれカム機構を有し回転により該第１のレンズ枠および該第２のレンズ枠を光軸方向に移動させる第２の筒とを有し、前記第１のレンズ枠に保持された第１のレンズ群および前記第２のレンズ枠に保持された第２のレンズ群を含む前記撮影レンズを収容して、相対的に筒長が短い沈胴状態と相対的に筒長が長い繰出状態との間で筒長を変化させるレンズ鏡胴とを備え、
前記第１の筒の光軸方向後方を向いた背面、あるいは前記光量制御部材の光軸方向前方を向いた前面に、前記繰出状態から前記沈胴状態に移行するに際して、前記第１の筒で、前記光量制御部材を、バネ付勢に抗して光軸方向後方に押し下げるための突起部を有することを特徴とするカメラ。
【請求項２】
前記突起部が、前記光量制御部材に備えられたものであることを特徴とする請求項１記載のカメラ。
【請求項３】
前記突起部が、光軸を中心とした円周方向複数箇所にそれぞれ設けられたものであることを特徴とする請求項１又は２記載のカメラ。
【発明の詳細な説明】
【技術分野】
【０００１】
本発明は、複数のレンズ群からなる撮影レンズを経由して入射してきた被写体光を捉えて撮影を行なうカメラに関する。
【背景技術】
【０００２】
従来より、カメラにおいては、ズームレンズを構成するための複数のレンズ群を備えた撮影レンズが多用されており、この点は従前の銀塩フィルム上に写真撮影を行なうカメラでも、近年の、撮影素子上に結像させて画像データを生成するタイプのデジタルカメラでも同様である（特許文献１参照）。
【０００３】
この特許文献１のカメラは、携帯時の便宜のためにレンズ鏡胴がカメラ本体内に完全に、あるいはある程度収容された沈胴状態とカメラ本体から突出した繰出状態との間で筒長を変える、沈胴、繰出し自在なレンズ鏡胴を備えたものである。
【０００４】
このような沈胴、繰出し自在なレンズ鏡胴においては、沈胴時の筒長をできるだけ短かくするために、繰出状態から沈胴状態に移行する際に光軸方向前方の部材で光軸方向後方の部材を押すことにより、沈胴時の筒長をさらに短縮化する技術が知られている。
【０００５】
そのうちの１つとして、撮影レンズを構成する複数のレンズ群のうちの光軸方向先端のレンズを保持する前群レンズ枠と、その前群レンズの光軸方向背後に隣接する後群レンズを保持するとともに、シャッタ部材あるいは絞り部材からなる光量制御部材を、その後群レンズの前面に、光軸方向に移動自在であって光軸方向前方にバネ付勢した状態に支持する後群レンズ枠とを備え、繰出状態から沈胴状態に移行する際に前群レンズ枠で光量制御部材を押圧して光量制御部材をバネ付勢に抗して光軸方向後方に押し下げることにより沈胴時の筒長を短縮化する技術が知られている。
【特許文献１】特開２００４−３４７６１５号公報
【発明の開示】
【発明が解決しようとする課題】
【０００６】
ところが、レンズ枠は、組立時に、光軸方向および光軸に直角な方向の位置調整が行なわれた上でレンズ鏡胴を構成する部品に接着剤で接着されるという工程を採用することが多く、その場合、接着剤が完全に乾燥して完全に接着されるよりも前に沈胴状態に移行されると、レンズ枠が、光軸方向前方に付勢されている光量制御部材から反力を受け、位置調整が行なわれて接着されたレンズ枠の光軸方向の位置がずれてしまう可能性がある。また、接着で固定されたものであるためその接着が多少なりとも弱かった場合、沈胴のたびに受ける反力により、使用中に接着が外れて不良品となってしまうおそれもある。
【０００７】
本発明は、上記事情に鑑み、組立時の作業性および使用時の信頼性を向上させたカメラを提供することを目的とする。
【課題を解決するための手段】
【０００８】
上記目的を達成する本発明のカメラは、複数のレンズ群からなる撮影レンズを経由して入射してきた被写体光を捉えて撮影を行なうカメラにおいて、
上記複数のレンズ群のうちの所定の第１のレンズ群を保持する第１のレンズ枠と、
上記複数のレンズ群のうちの、上記所定の第１のレンズ群の光軸方向後方に隣接する第２のレンズ群を保持するとともに、その第２のレンズ群前面に配備された、通過する被写体光の光量を制御する光量制御部材を、光軸方向に移動自在であって、かつ光軸方向前方にバネ付勢した状態に支持する第２のレンズ枠と、
第１のレンズ枠が固定された第１の筒と、その第１の筒との間および上記第２のレンズ枠との間にそれぞれカム機構を有し回転により第１のレンズ枠および第２のレンズ枠を光軸方向に移動させる第２の筒とを有し、第１のレンズ枠に保持された第１のレンズ群および第２のレンズ枠に保持された第２のレンズ群を含む撮影レンズを収容して、相対的に筒長が短い沈胴状態と相対的に筒長が長い繰出状態との間で筒長を変化させるレンズ鏡胴とを備え、
上記第１の筒の光軸方向後方を向いた背面、あるいは上記光量制御部材の光軸方向前方を向いた前面に、繰出状態から沈胴状態に移行するに際して、第１の筒で、光量制御部材を、バネ付勢に抗して光軸方向後方に押し下げるための突起部を有することを特徴とする。
【０００９】
ここで、本発明のカメラにおいて、上記突起部は、典型的には、光量制御部材に備えられたものであってもよく、また、上記突起部は、光軸を中心とした円周方向複数箇所にそれぞれ設けられたものであることが好ましい。
【発明の効果】
【００１０】
以上の本発明によれば、レンズ枠ではなく、レンズ鏡胴の一部が光量制御部材を押すことになり、光量制御部材側からの反力に起因するレンズ枠の位置ずれや接着外れの問題が回避され、組立時の操作性向上および使用時の信頼性向上が図られる。
【発明を実施するための最良の形態】
【００１１】
以下、本発明の実施の形態について説明する。
【００１２】
図１、図２は、本発明の一実施形態としてのカメラの、それぞれ前面および背面を斜め上から見て示した斜視図である。
【００１３】
カメラ１０の前面には、カメラ本体から突出した繰出状態にあるレンズ鏡胴１００が示されている。このレンズ鏡胴１００は図１に示す繰出状態とその繰出状態の筒長よりも筒長を収縮させてカメラ本体内に収容された沈胴状態とを有する。
【００１４】
また、このレンズ鏡胴１００の内部には、焦点距離可変なズームレンズからなる撮影レンズ２００が備えられている。さらに、このカメラ１０の前面には、撮影時にフラッシュ光を発するフラッシュ発光部１１が備えられ、このカメラ１０の上面には、このカメラ１０に撮影指示を与えるシャッタボタン１２が配備されている。
【００１５】
また、このカメラ１０の図２に示す背面には、Ｔ／Ｗ（テレ／ワイド）切替レバー２１、撮影／再生切替ボタン２２、ファンクションボタン２３、４方向キー２４、ＯＫキー２５、ＤＩＳＰ／ＢＡＣＫキー２６、および画面表示用のＬＣＤパネル２７が配置されている。
【００１６】
ここで、Ｔ／Ｗ切替レバー２１は、撮影レンズの焦点距離切替用のレバーである。また、撮影／再生切替ボタン２２は、１回押すごとにこのカメラ１０のモードを撮影モードと再生モードとに切り替えるためのボタンである。
【００１７】
さらにファンクションボタン２３は、これを押すとＬＣＤパネル２７上にメニューが表示される。その後４方向キー２４の左右ボタンでメニューを切り替え、４方向キー２４の上下ボタンでそのメニュー中のいずれかの項目を選択し、ＯＫボタン２５を押すことによりその選択した項目が設定される。この操作より、例えばＩＳＯ感度、フラッシュ発光の有無、その他撮影モードあるいは再生モード中の様々な項目の設定が行なわれる。
【００１８】
さらに、ＤＩＳＰ／ＢＡＣＫキー２６は、例えば再生モードにおいてＬＣＤパネル２７上に表示される画像の表示態様（１枚の画像のみ表示／複数枚のサムネイル画像を並べて表示など）を順次切り替えたり、表示画像を１つ前の画面に戻したりするときに押下するキーである。
【００１９】
図３〜図５は、図１に示すレンズ鏡胴１００の内部構造を示す光軸に沿う方向の断面図であり、図３〜図５は、それぞれ、繰出状態のうちのワイド端（焦点距離が最短の状態）、繰出状態のうちのテレ端（焦点距離が最長の状態）、および沈胴状態を示す図である。以下では、主に図３を参照し、必要に応じて図４、図５を参照しながらレンズ鏡胴の構造を説明する。
【００２０】
このレンズ鏡胴１００には、前群レンズ枠３１０に保持された前群レンズ２１０、後群レンズ枠３２０に保持された後群レンズ２２０、およびフォーカスレンズ枠３３０に保持されたフォーカスレンズ２３０からなる３群構成の撮影レンズが内蔵されており、沈胴、繰出し、テレ／ワイド（Ｔ／Ｗ）切替え、およびピント調整に応じて、いずれかあるいは全てのレンズ群が光軸方向に移動するように構成されている。
【００２１】
図３の右下には、ズーム駆動モータ１０１が示されており、図２に示すＴ／Ｗ切替レバー２１を操作すると、テレ側に操作するかワイド側に操作するかに応じて、このズーム駆動モータ１０１が正転あるいは逆転する。このズーム駆動モータ１０１の回転駆動力はウォームギア１０２および２段ギア１０３を介して駆動筒１１０の駆動ギア１１１に伝達される。この駆動筒１１０は、その内側に備えられた固定筒１２０に対し、光軸方向の移動は禁止された状態で光軸まわりに回転する。
【００２２】
固定筒１２０にはその固定筒１２０の壁を貫通するカム溝１２１が形成されており、また駆動筒１１０には光軸方向に延びるキー溝１１２が形成されており、このキー溝１１２には、中間筒１３０に固定されたカムフォロワピン１３１が、固定筒１２０に設けられたカム溝１２１を貫通して嵌入している。したがって駆動筒１１０が回転すると、中間筒１３０もその駆動筒１１０の回転に連れ回るとともに固定筒１２０のカム溝１２１の形状に応じて光軸方向に移動する。ただし、図３に示すワイド端と図４に示すテレ端との間では、固定筒１２０のカム溝１２１は円周方向に延びており、その間では中間筒１３０は光軸方向には移動せずにその同じ位置で回転する。図５に示す沈胴状態と図３に示すワイド端との間では中間筒１３０は回転しながら光軸方向に移動する。
【００２３】
この中間筒１３０の内側には直進キーリング１４０が配備されている。この直進キーリング１４０は、中間筒１３０に対し、相対回転自在であって光軸方向への相対移動が禁止されており、また、固定筒１２０の直進キー溝１２２に嵌入している。したがって、中間筒１３０が駆動筒１１０の回転に伴って回転しながら光軸方向に移動すると、直進キーリング１４０は、中間軸１３０の光軸方向の移動に伴って、光軸方向に、固定筒１２０に対し回り止めされた状態のまま直進する。
【００２４】
後群レンズ２２０を保持する後群レンズ枠３２０は直進キーリング１４０のキー溝１４１に嵌入しており、さらにこの後群レンズ枠３２０にはカムフォロワピン３２１が設けられて、このカムフォロワピン３２１は中間筒１３０の内面のカム溝１３２に嵌入している。
【００２５】
したがって駆動筒１１０の回転に伴って中間筒１３０が回転すると、後群レンズ枠３２０は、中間筒１３０内面のカム溝１３２の形状に従って回転を伴わずに光軸方向に移動する。
【００２６】
この後群レンズ枠３２０は、後群レンズ２２０を保持するとともに、シャッタ羽根４１１および絞り羽根４１２を備えた光量制御部材４１０を支持している。この光量制御部材４１０は、後群レンズ枠３２０に対し光軸方向に移動自在となっており、バネ部材４２０により光軸方向前方に付勢されている。また、この光量制御部材４１０の前面には突起部４１３が形成されている。この突起部４１３は、このレンズ鏡胴が繰出状態（図３、図４参照）から沈胴状態（図５参照）に移行する際に、後述する前移動筒１５０の押圧部１５１で押され、バネ部材４２０の付勢力に抗してこの光量制御部材４１０を光軸方向後方に押し下げるためのものである。尚、沈胴状態においてはシャッタ羽根４１１および絞り羽根４１２は最大開口にまで開かれ光量制御部材４１０が光軸方向後方に押し下げられても後群レンズ２２０との干渉が避けられる構造となっている。
【００２７】
また、後群レンズ枠３２０の光軸方向背面側には、その後群レンズ枠３２０の背面および後群レンズ２２０の背面に沿う第１の遮光部材４３１が固定されているとともに、後群レンズ枠３２０の背面に一端が固定され、その背面から光軸に対し斜め後方に広がる第２の遮光部材４３２が備えられている。これら第１の遮光部材４３１および第２の遮光部材４３２は、迷光を遮光するためのものである。これらの遮光部材についてはさらに後述する。
【００２８】
また、後群レンズ枠３２０には、光軸方向前方から見たときに後述する送りネジ部材４７０を覆うように広がる壁部３２２が設けられており、この壁部３２２の存在も迷光の遮光に寄与している。さらに、図３では図示省略されているが、図４に示す引っ張りバネ４６１の配置位置の工夫も迷光防止に寄与している。詳細は後述する。この引っ張りバネ４６１は、前群レンズ枠３１０と後群レンズ枠３２０を互いに引き寄せる方向に付勢し、それら前群レンズ枠３１０と後群レンズ枠３２０との間のガタを防止するためのものである。
【００２９】
また、前移動筒１５０は、直進キーリング１４０の直進キー溝１４２に嵌入しており回転が防止されている。また、この前移動筒１５０にはその外面に突出したカムフォロワピン１５２が固設されている。このカムフォロワピン１５２は、中間筒１３０内面のカム溝１３３に嵌入しており、中間筒１３０が回転すると、その中間筒１３０に対し、そのカム溝１３３の形状に従って光軸方向に移動する。
【００３０】
この前移動筒１５０には、前群レンズ２１０を保存した前群レンズ枠３１０の固定用に光軸に向かって内側に張り出してこの前群レンズ枠３１０を円周方向複数点で支えてその前群レンズ枠３１０の光軸方向の位置を規制する支持壁１５３が備えられており、一方、前群レンズ枠３１０は光軸を中心としたときの半径方向に張り出した張出壁３１１を有し、その張出壁３１１が前移動筒１５０の支持壁１５３に接着されている。また、この張出壁３１１は、一端が前移動筒１５０に固定されたレンズ枠押え板バネ４５１で支持壁１５３に押圧されている。このレンズ枠押え板バネ４５１は、組立時に必要なものである。
【００３１】
さらに、この前群レンズ２１０の前面には、前移動筒１５０に支持された開閉自在なレンズバリア４６０が備えられている。
【００３２】
また、図３の右側上部には、フォーカス駆動モータ１０４が備えられており、このカメラ内での演算によりフォーカスレンズ２３０の合焦位置が求められると、フォーカスレンズ２３０をその合焦位置に移動させるべく、フォーカス駆動モータ１０４が回転する。このフォーカス駆動モータ１０４の回転駆動力はギア１０５，１０６，１０７を介して送りネジ４７１を回転させる。
【００３３】
この送りネジ４７１の外周には雄ネジが形成されており、この雄ネジには、フォーカスレンズ枠３３０に固設されたナット４７２が螺合しており、送りネジ４７１の回転に伴ってフォーカスレンズ枠３３０に保持されたフォーカスレンズ２３０が光軸方向に移動し、光軸方向後方のＣＣＤホルダ５１１に保持されたＣＣＤ固体撮影素子５１０上に合焦状態の被写体を結像させる。ＣＣＤ固体撮像素子５１０ではその被写体を表わす画像信号が生成され、さらに図示しない電子回路により画像処理等が行なわれて記録メディア上に画像データ記録されるが、その電子回路による処理については本発明の主題ではなく、公知の一般的な技術を適用すればよいため、ここでの詳細説明は省略する。
【００３４】
この図３〜図５に示すレンズ鏡胴１００は、以上の構造を備えたものであり、ズーム駆動モータ１０１とフォーカス駆動モータ１０４の回転駆動により、図３および図４に示す繰出状態と図５に示す沈胴状態との間、および図３に示すワイド端と図４に示すテレ端との間でレンズ鏡胴１００の構成部品が移動する。
【００３５】
次に、本実施形態におけるいくつかの特徴部分について説明する。
【００３６】
図６は、前移動筒１５０の部分を前方斜めから見て示した斜視図である。ただし、この図６では、レンズバリアは取り除かれている。
【００３７】
この図６には、図３にも示す、前移動筒１５０、前群レンズ２１０、前群レンズ枠３１０（図３参照）の、半径方向に張り出した張出壁３１１、およびレンズ枠押え板バネ４５１が示されている。このレンズ枠押え板バネ４５１は、円周方向３ヵ所にある押圧部４５１ａで、張出壁３１１を、前移動筒１５０の支持壁１５３（図３参照）に向けて押圧している。
【００３８】
図７は、支持壁および張出壁の従来例を示すものであり、本実施形態に対する比較例に相当する。
【００３９】
また、図８は、本実施形態における支持壁および張出壁の構造を示す図である。
【００４０】
図７，図８のいずれにおいても、左右方向が、実際のレンズ鏡胴（図３参照）における円周方向に相当する。
【００４１】
尚、ここでは、分かり易さのために、図７に示す比較例においても、本実施形態における部材に相当する部材には同一符号を付して示し、同一の名称を用いている。
【００４２】
図７に示す比較例の場合、レンズ枠３１０（図３参照）を構成する張出壁３１１の、レンズ枠押え板バネ４５１の押圧部４５１ａに対応する位置に突起部３１１ａが設けられており、その突起部３１１ａが、前移動筒１５０（図３参照）を構成する支持壁１５３に当接して、レンズ枠押え板バネ４５１の押圧部４５１ａにより支持壁１５３に押し当てられている。
【００４３】
ここで前群レンズ枠３１０は、組立時に、その前群レンズ枠３１０に保持された前群レンズ２１０の光軸方向の位置および光軸に直角な方向の位置が調整され、その調整の後で前移動筒に接着により固定される。
【００４４】
この位置調整を実現するために、図７に示す従来例では、前移動筒１５０を構成する指示壁１５３の、前群レンズ枠３１０の張出壁３１１を支持する側の面が円周方向（図７の左右方向）に階段状に形成されており、前群レンズ枠３１０を回転させると、図７（Ａ）に示す位置から図７（Ｂ）に示す位置へと、階段状に前群レンズ枠３１０の光軸方向の位置（前群レンズ枠２１０の光軸方向の位置）が調整される。尚、この調整のための構造は、光軸周りの３ヵ所に設けられており、前群レンズ枠３１０は光軸周りの３ヵ所で前移動筒１５０に支持される。
【００４５】
このようにして、前群レンズ２１０の、先ずは光軸方向について位置調整が行なわれ、その後、前群レンズ枠３１０を、その前群レンズ枠３１０の張出壁３１１に設けられた突起部３１１ａが、前移動筒１５０の支持壁１５３の、光軸方向調整後の段から外れない範囲内で、前群レンズ枠３１０を光軸に対し直角な方向に動かして、撮影レンズ２００（図１，図５参照）全体の光軸と前群レンズ２１０の光軸が一致するように調整される。このような、光軸方向および光軸に直角な方向の位置調整が行なわれた後、前群レンズ枠３１０が前移動筒１５０に接着剤で接着される。レンズ枠押え板バネ４５１は、調整時および接着剤が完全に乾くまでの間、前群レンズ枠３１０を前移動筒１５０に仮止めしておく役割りを担っている。
【００４６】
ここで、図７に示す比較例の場合、図７（Ａ）の状態から図７（Ｂ）の状態に移すと、レンズ枠押え板バネ４５１の押圧部４５１ａが光軸方向に偏差ｄだけ異なる位置に移動する。すなわち、前群レンズ２１０の光軸方向の位置を調整しようとして前群レンズ枠３１０を光軸まわりに回転させて前移動筒１５０の支持壁１５３の異なる段に移動させるとレンズ枠押え板バネ４５１の押圧部４５１ａによる押圧力が異なることとなり、その後、前群レンズ枠３１０を光軸に対し直角な方向に移動させようとしたときに、その押圧力が強過ぎたりあるいは弱過ぎたりなどしてスムーズな調整を行ないにくく、調整作業が大変であるという問題がある。
【００４７】
これに対し、本実施形態である図８の場合、レンズ枠押え板バネ４５１の押圧部４５１ａに対応する突起部１５３ａは前移動筒１５０の支持壁１５３に設けられており、前群レンズ枠３１０の張出壁３１１は、同一厚みであって光軸方向に階段状に偏倚した構造を有している。このため図８（Ａ）の状態から図８（Ｂ）の状態に移動したとき、前群レンズ枠３１０自体は光軸方向に移動するが、レンズ枠押え板バネ４５１の押圧部４５１ａの位置は変化せず（偏差ｄ＝０）、したがって押圧力が一定に保たれ、光軸方向の位置調整が行なわれた結果どの段に位置しても適正な押圧力の下で前群レンズ枠３１０を光軸に対し直角方向に移動させることができる。
【００４８】
尚、本実施形態（図８の場合）においても、この調整のための構造は光軸まわりの３ヵ所に設けられており、前群レンズ枠３１０は光軸まわりの３ヵ所で前移動筒１５０に支持されている。
【００４９】
このようにして、光軸方向および光軸に直角な方向の位置調整が行なわれた後、前群レンズ枠３１０が前移動筒１５０に接着剤で固定される。
【００５０】
図９は、後群レンズ枠３２０の背面部分を斜めから見て示した斜視図である。
【００５１】
ここには、後群レンズ２２０を保持する後群レンズ保持枠３２０の、光軸方向背面が示されており、その背面には、後群レンズ２２０の、被写界からの光を通過する領域に開口を有し、その周囲を覆う第１の遮光部材４３１のほか、後群レンズ保持枠３２０の背面に一端４３２ａが固定された第２の遮光部材４３２が備えられている。
【００５２】
図１０は、後群レンズ枠３２０の背面部分を第２の遮光部材４３２を取り外して斜めから見て示した斜視図である。
【００５３】
図９と図１０との対比から分かるように、後群レンズ枠３２０背面の、第２の遮光部材４３２の一端４３２ａが固定される部分の近傍に、突出したスロープ部３２５が設けられており、第２の遮光部材４３２は、そのスロープ部３２５に乗り上げるように一端４３２ａが固定され、光軸対し斜め後方に向かって広がっている。
【００５４】
図４には、被写界内の上部からの光束Ｌ１と、被写界から外れた位置にある、例えば太陽等の光源からの迷光の進入路Ｌ２が示されている。
【００５５】
第１の遮光部材４３１は、被写界からの光束Ｌ１を正常に通過させるだけの開口を有しており、この第１の遮光部材４３１だけでは、図４に示す進入路Ｌ２を通って入射してきた迷光を遮光することはできない。そこで、第２の遮光部材４３２を備え、第２の遮光部材４３２に、このような進入路Ｌ２を通って入射してきた迷光を遮光する役割りを担わせている。
【００５６】
図１１は、沈胴時におけるフォーカスレンズ枠の背面を斜めから見て示した斜視図、図１２は、沈胴時における、後群レンズとフォーカスレンズとに挟まれた状態の第２の遮光部材を、フォーカスレンズ枠を取り外して示した斜視図である。
【００５７】
この第２の遮光部材４３２は、可撓性を有するシート状の部材であり、図４にも示すように、沈胴時には、後群レンズ２２０とフォーカスレンズ２３０とに挟まれて後群レンズ枠３２０および後群レンズ２２０に向かって押し付けられている。したがって、この第２の遮光部材４３２は、繰出状態にあっては後群レンズ枠３２０から後方斜めに広がって遮光部材としての役割りを担うとともに、沈胴時には後群レンズ枠３２０に向かって押し付けられて沈胴時の筒長が短縮されている。
【００５８】
図１３は、後群レンズ枠の前面および前群レンズ枠と後群レンズ枠との間に掛け渡された引張りバネを示した模式的斜視図である。
【００５９】
また、図１４は、引張りバネの部分の従来の構造を示す図であり、本実施形態に対する比較例に相当する。
【００６０】
尚、ここでは、分かり易さのため、図１４に示す比較例においても、本実施形態における部材に相当する部材には同一の名称を用いるとともに同一符号を付して示す。
【００６１】
図１４に示す比較例においては、後群レンズ枠３２０に、引張りバネ４６１を配置するための開口３２５を設けて、その部分に引張りバネ４６１を配置している。この場合、その開口３２５が迷光の進入路となり、撮影画像によりフレア等が生じる原因となる。
【００６２】
これに対し、本実施形態の場合、図１３に示すように引張りバネ４６１は後群レンズ枠３２０の外側に配置されており、後群レンズ枠３２０は迷光の進入路が塞がれた形状を有し、図１４に示す開口３２５に相当する部分からの迷光の進入が防止されている。
【００６３】
また、後群レンズ枠３２０には、送りネジ部４７０（図３を合わせて参照）の光軸方向前方を覆うように壁部３２２が設けられており、この壁部３２２により、この壁部３２２の部分から進入しようとする迷光の進入路が塞がれている。
【００６４】
図１５は沈胴状態を示す模式図である。
【００６５】
図３から図５にも示し、かつ前述したように、光量制御部材４１０にはその前面に突起部４１３が設けられており、沈胴時には、光量制御部材４１０は前移動筒１５０の押圧部１５１で押されて光軸方向後方に移動している。また、沈胴時には、前群レンズ枠３１０と光量移動部材４１０との間に僅かながら間隙Δを有している。
【００６６】
従来、沈胴時に、光量制御部材４１０を前群レンズ枠３１０で押す構造が知られているが、前群レンズ枠３１０は接着剤で前移動筒１５０に接着されており、組立時の、その接着剤が完全に固化するよりも前に沈胴動作を行なわさせると前群レンズ枠３１０の光軸方向の位置がずれてそのまま固まってしまう恐れがあり、また、接着が多少なりとも弱い場合、このカメラを長期間使用している間の前群レンズ枠３１０が光量制御部材４１０から受ける反力により接着が剥れて、前群レンズ枠３１０が脱落してしまうおそれがある。
【００６７】
本実施形態では、光量制御部材４１０に突起部４１３を設けて確実に前移動筒５０で押すようにしたため、上記のような光軸方向の位置ずれや前群レンズ枠３１０の脱落という問題が回避される。
【００６８】
尚、本実施形態では光量制御部材４１０に突起部４１３を設けたが、前移動筒１５０の押圧部１５１に突起部を設けその突起部で光量制御部材４１０を押すように構成してもよい。
【００６９】
また、本実施形態は３群のズームレンズからなる撮影レンズを備えたカメラであるが、本発明は４群以上のレンズ群からなる撮影レンズを備えたカメラにおいても同様に適用することができる。
【図面の簡単な説明】
【００７０】
【図１】本発明の一実施形態としてのカメラの前面を斜め上から見て示した斜視図である。
【図２】本発明の一実施形態としてのカメラの背面を斜め上から見て示した斜視図である。
【図３】図１に示すレンズ鏡胴の内部構造を示す、光軸に沿う方向の断面図である。
【図４】図１に示すレンズ鏡胴の内部構造を示す、光軸に沿う方向の断面図である。
【図５】図１に示すレンズ鏡胴の内部構造を示す、光軸に沿う方向の断面図である。
【図６】前移動筒を前方斜めから見て示した斜視図である。
【図７】支持壁および張出壁の従来例を示す図である。
【図８】本実施形態における支持壁および張出壁の構造を示す図である。
【図９】後群レンズ枠の背面部分を斜めから見て示した斜視図である。
【図１０】後群レンズ枠の背面部分を、第２の遮光部材を取り外して斜めから見てきた斜視図である。
【図１１】沈胴時におけるフォーカスレンズ枠の背面を斜めから見て示した斜視図である。
【図１２】沈胴時における、後群レンズとフォーカスレンズとに挟まれた状態の第２の遮光部材を、フォーカスレンズ枠を取り外して示した斜視図である。
【図１３】後群レンズ枠の前面、および前群レンズ枠と後群レンズ枠との間に掛け渡された引張りバネを示した模式的斜視図である。
【図１４】引張りバネの部分の従来の構造を示す図である。
【図１５】沈胴状態を示す模式図である。
【符号の説明】
【００７１】
１０    カメラ
１１    フラッシュ発生部
１２    シャッタボタン
２１    Ｔ／Ｗ（テレ／ワイド）切替レバー
２２    撮影／再生切替ボタン
２３    ファンクションボタン
２４    ４方向キー
２５    ＯＫキー
２６    ＤＩＳＰ／ＢＡＣＫキー
２７    画面表示用のＬＣＤパネル
１００    レンズ鏡胴
１１０    駆動筒
１２０    固定筒
１３０    中間筒
１４０    直進キーリング
１５０    前移動壁部筒
１５１    押圧部
１５３    支持壁
２００    撮影レンズ
２１０    前群レンズ
２２０    後群レンズ
２３０    フォーカスレンズ
３１０    前群レンズ枠
３１１    張出壁
３２０    後群レンズ枠
３２２    壁部
３３０    フォーカスレンズ枠
４１０    光量制御部材
４１３    突起部
４３１    第１の遮光部材
４３２    第２の遮光部材
４５１    レンズ枠押え板バネ
４６１    引っ張りバネ
【図１】
2006243386.tif 000003
【図２】
2006243386.tif 000004
【図３】
2006243386.tif 000005
【図４】
2006243386.tif 000006
【図５】
2006243386.tif 000007
【図６】
2006243386.tif 000008
【図７】
2006243386.tif 000009
【図８】
2006243386.tif 000010
【図９】
2006243386.tif 000011
【図１０】
2006243386.tif 000012
【図１１】
2006243386.tif 000013
【図１２】
2006243386.tif 000014
【図１３】
2006243386.tif 000015
【図１４】
2006243386.tif 000016
【図１５】
2006243386.tif 000017